(57)【特許請求の範囲】
【請求項１】
患者の顔の３Ｄモデル及び前記患者の顔の３Ｄモデルに取り付けられた患者インターフェイスデバイスの３Ｄモデルを表示する表示領域をユーザーインターフェイス内に生成する表示生成ユニットと、
前記ユーザーインターフェイス内に透明度調整ツールを生成する透明度調整ユニットであって、前記透明度調整ツールは、前記ユーザーインターフェイスの前記表示領域内に表示された前記患者インターフェイスデバイスの３Ｄモデルのコンポーネントのサブセットの透明度を調整する、透明度調整ユニットと、
前記ユーザーインターフェイス内に相互作用マップツールを生成し、前記患者の顔と前記患者インターフェイスデバイスとの間の接触圧のレベルを示す、前記患者の顔と前記患者インターフェイスデバイスとの間の相互作用マップを計算する相互作用マップユニットであって、前記相互作用マップツールは、前記ユーザーインターフェイス内の前記相互作用マップの表示をトグルし、前記相互作用マップユニットは、前記ユーザーインターフェイス内に前記相互作用マップを表示する際に、前記患者インターフェイスデバイスの３Ｄモデルの少なくとも一部分の透明値を１つ以上の所定値に調整する、相互作用マップユニットと、
を含む、電子装置。
【請求項２】
前記患者インターフェイスデバイスの３Ｄモデルのコンポーネントの前記サブセットは、前記患者の顔の３Ｄモデルと接触しない前記患者インターフェイスデバイスの３Ｄモデルのコンポーネントのサブセットである、請求項１に記載の電子装置。
【請求項３】
前記患者インターフェイスデバイスの３Ｄモデルのコンポーネントはクッションを含み、前記患者インターフェイスデバイスの３Ｄモデルのコンポーネントの前記サブセットは、前記クッションを除く前記患者インターフェイスデバイスの３Ｄモデルのコンポーネントである、請求項１に記載の電子装置。
【請求項４】
前記患者インターフェイスデバイスの３Ｄモデルのコンポーネントはクッション及び額クッションを含み、前記患者インターフェイスデバイスの３Ｄモデルのコンポーネントの前記サブセットは、前記クッション及び前記額クッションを除く前記患者インターフェイスデバイスの３Ｄモデルのコンポーネントである、請求項１に記載の電子装置。
【請求項５】
前記透明度調整ツールはスライダーバーである、請求項１に記載の電子装置。
【請求項６】
前記透明度調整ユニットは、前記ユーザーインターフェイス内の前記透明度調整ツールの調整に応じて前記患者インターフェイスデバイスの３Ｄモデルのコンポーネントの前記サブセットの透明度を調整する、請求項５に記載の電子装置。
【請求項７】
前記ユーザーインターフェイスを表示する表示ユニットを更に含む、請求項１に記載の電子装置。
【請求項８】
患者インターフェイスデバイスを選択する方法であって、
患者の顔の３Ｄモデル及び前記患者の顔の３Ｄモデルに取り付けられた患者インターフェイスデバイスの３Ｄモデルを表示する表示領域をユーザーインターフェイス内に生成するステップと、
前記ユーザーインターフェイス内に透明度調整ツールを生成するステップであって、前記透明度調整ツールは、前記ユーザーインターフェイスの前記表示領域内に表示された前記患者インターフェイスデバイスの３Ｄモデルのコンポーネントのサブセットの透明度を調整する、ステップと、
前記ユーザーインターフェイス内に相互作用マップツールを生成するステップであって、前記相互作用マップツールは、前記ユーザーインターフェイス内の相互作用マップの表示をトグルする、ステップと、
前記患者の顔と前記患者インターフェイスデバイスとの間の接触圧のレベルを示す、前記患者の顔と前記患者インターフェイスデバイスとの間の前記相互作用マップを計算し、前記ユーザーインターフェイス内に前記相互作用マップを表示する際に、前記患者インターフェイスデバイスの３Ｄモデルの少なくとも一部分の透明値を１つ以上の所定値に調整するステップと、
を含む、方法。
【請求項９】
前記患者インターフェイスデバイスの３Ｄモデルのコンポーネントの前記サブセットは、前記患者の顔の３Ｄモデルと接触しない前記患者インターフェイスデバイスの３Ｄモデルのコンポーネントである、請求項８に記載の方法。
【請求項１０】
前記患者インターフェイスデバイスの３Ｄモデルのコンポーネントはクッションを含み、前記患者インターフェイスデバイスの３Ｄモデルのコンポーネントの前記サブセットは、前記クッションを除く前記患者インターフェイスデバイスの３Ｄモデルのコンポーネントである、請求項８に記載の方法。
【請求項１１】
前記患者インターフェイスデバイスの３Ｄモデルのコンポーネントはクッション及び額クッションを含み、前記患者インターフェイスデバイスの３Ｄモデルのコンポーネントの前記サブセットは、前記クッション及び前記額クッションを除く前記患者インターフェイスデバイスの３Ｄモデルのコンポーネントである、請求項８に記載の方法。
【請求項１２】
前記透明度調整ツールはスライダーバーである、請求項８に記載の方法。
【請求項１３】
コンピュータによって実行されたとき、前記コンピュータに、
患者の顔の３Ｄモデル及び前記患者の顔の３Ｄモデルに取り付けられた患者インターフェイスデバイスの３Ｄモデルを表示する表示領域をユーザーインターフェイス内に生成するステップと、
前記ユーザーインターフェイス内に透明度調整ツールを生成するステップであって、前記透明度調整ツールは、前記ユーザーインターフェイスの前記表示領域内に表示された前記患者インターフェイスデバイスの３Ｄモデルのコンポーネントのサブセットの透明度を調整する、ステップと、
前記ユーザーインターフェイス内に相互作用マップツールを生成するステップであって、前記相互作用マップツールは、前記ユーザーインターフェイス内の相互作用マップの表示をトグルする、ステップと、
前記患者の顔と前記患者インターフェイスデバイスとの間の接触圧のレベルを示す、前記患者の顔と前記患者インターフェイスデバイスとの間の前記相互作用マップを計算し、前記ユーザーインターフェイス内に前記相互作用マップを表示する際に、前記患者インターフェイスデバイスの３Ｄモデルの少なくとも一部分の透明値を１つ以上の所定値に調整するステップと、
を含む、方法を実行させる命令を含む１つ以上のプログラムを記憶する、非一時的コンピュータ可読媒体。
【請求項１４】
前記患者の顔の３Ｄモデルを作成するステップと、
前記複数の患者インターフェイスデバイスのそれぞれの３Ｄモデルを作成するステップと、
前記患者の顔の３Ｄモデルを患者インターフェイスデバイス選択システムに供給するステップと、
前記患者インターフェイスデバイスの３Ｄモデルのうちの１つ以上を前記ユーザーインターフェイスに供給するステップと、
前記患者インターフェイスデバイスの３Ｄモデルのうちの１つ以上が取り付けられた前記患者の顔の３Ｄモデルを前記表示領域内に表示するステップと、
表示された前記患者インターフェイスデバイスの３Ｄモデルのコンポーネントのサブセットの透明度を調整するステップと、
前記患者インターフェイスデバイスのうちの１つを選択するステップと
を更に含む、請求項８に記載の方法。
【請求項１５】
前記相互作用マップは、前記患者の顔の３Ｄモデルの形状に従う、請求項１に記載の電子装置。
【請求項１６】
前記相互作用マップ上の点が、前記患者インターフェイスデバイスと前記患者の顔との間の異なる相互作用レベルを示すためにカラーコーディングされる、請求項１に記載の電子装置。
【請求項１７】
前記相互作用マップ上の点が、前記患者インターフェイスデバイスと前記患者の顔との間の異なる相互作用レベルを示すように調整される透明値を有する、請求項１に記載の電子装置。
【請求項１８】
前記相互作用マップユニットは、前記ユーザーインターフェイス内に前記相互作用マップユニットが表示されるときに、前記患者の顔の３Ｄモデルと接触しない前記患者インターフェイスデバイスの３Ｄモデルのコンポーネントを透明にし、
前記相互作用マップユニットは、前記ユーザーインターフェイス内に前記相互作用マップユニットが表示されるときに、前記患者の顔の３Ｄモデルと接触する前記患者インターフェイスデバイスの３Ｄモデルのコンポーネントを半透明にする、
請求項１に記載の電子装置。
【発明の詳細な説明】
【技術分野】
【０００１】
本発明は、患者インターフェイスデバイス選択システムに関し、特に、３Ｄモデルを用いた患者インターフェイスデバイス選択システムに関する。
【背景技術】
【０００２】
閉塞性睡眠時無呼吸（ＯＳＡ）は、世界中で多くの人々が患っている疾患である。ＯＳＡは、睡眠中の呼吸の乱れ又は停止によって特徴付けられる。ＯＳＡエピソードは、少なくとも１０秒間、しばしば１〜２分間もの長時間続く睡眠中の気道の部分的な又は完全な閉塞に起因する。中程度から深刻な無呼吸を患う人々は、一晩に２００〜５００回もの完全な又は部分的な呼吸停止を経験し得る。絶えず睡眠が妨害されるため、患者は、心身が効率的に機能するのに必要な回復睡眠を奪われる。この睡眠障害は、高血圧、鬱病、脳卒中、不整脈、心筋梗塞、及び他の心血管疾患とも結び付けられている。更に、ＯＳＡは極度の疲労をもたらす。
【０００３】
非侵襲的換気療法及びプレッシャーサポート療法は、典型的には鼻又は鼻／口マスクである患者インターフェイスデバイスを患者の顔に設置して、人工呼吸器又はプレッシャーサポートシステムを患者の気道に接続し、圧力／フロー生成デバイスから患者の気道に呼吸ガスのフローを供給可能にすることを含む。
【０００４】
典型的には、患者インターフェイスデバイスは、患者の皮膚に接触するクッションが取り付けられているマスクシェル又はフレームを含む。マスクシェル及びクッションは、患者の頭部を包むヘッドギアによって固定される。マスク及びヘッドギアは患者インターフェイスアセンブリを形成する。典型的なヘッドギアは、患者へのマスクの取り付けのために、マスクから伸びるフレキシブルな調節可能ストラップを含む。
【０００５】
典型的には、患者インターフェイスデバイスは長時間着用されるため、様々な懸念事項を考慮しなければならない。例えば、ＯＳＡの治療のためにＣＰＡＰを提供する場合、通常、患者は患者インターフェイスデバイスを眠りながら夜通し着用する。このような状況における１つの懸念事項は、患者インターフェイスデバイスが可能な限り快適なことであり、さもなければ、患者がインターフェイスデバイスの着用を避け、処方されたプレッシャーサポート療法の意義が失われる可能性がある。他の懸念事項は、不適切にフィットされた患者インターフェイスデバイスが、望ましくない漏れを生じる隙間を患者インターフェイスデバイスと患者との間に有し得ることである。したがって、患者に適切にフィットする患者インターフェイスデバイスを選択することが望ましい。
【０００６】
様々な種類又は様式の患者インターフェイスデバイスが利用可能である。また、患者インターフェイスデバイスの種類及び様式ごとに様々なサイズが利用可能である。したがって、患者が利用可能な異なる患者インターフェイスデバイスの総数は相当に大きくなり得る。
【０００７】
一般的に、適切な患者インターフェイスデバイスの選択について、介護者が患者を援助している。介護者は患者の疾患及び好みを考慮して潜在的な患者インターフェイスのリストを狭めることができる。また、介護者は患者インターフェイスデバイスの適切なサイズを推定し、又は、正確なサイズを調べるために患者にいくつかの患者インターフェイスデバイスを試着してもらうことができる。しかし、これらの方法には時間がかかり、また、不正確である。
【０００８】
ＵＳ２００６／０２３２２８Ａ１は、快適なフィットを与え、様々な医療処置を援助するために、患者の顔にカスタムフィットするよう顔マスクを製作するためのプロセスであって、カスタムマスクが取り付けられるべき患者の顔の部分を画定するために３Ｄデータセットを生成するステップと、患者の３Ｄ顔データセットを使用して患者のマスクを製作するステップと、所望の医療処置を援助するために患者にカスタムフィット顔マスクを取り付けるステップとを含むプロセスを提供するシステム及び方法を開示する。
【０００９】
ＵＳ２００８／００６０６５２Ａ１は、患者のマスクシステムを選択するためのシステム及び方法を開示する。一部の例示的な実施形態は、患者の３Ｄ輪郭を生成し、マスクシステムを少なくともこれらの輪郭に基づき選択することを含む。輪郭は、例えば並進運動可能なピンのクッション、鼻カニューレスキャンデバイス、及び／又は陰影立体視センサを使用することによって生成され得る。他の例示的な実施形態は、画像及び／又は動画を取得し、オプションで同期させることを可能にする。様々なマスクシステムの画像を重ね、マスクシステムのフィット具合を調べることができる。他の実施形態では、ユーザーはマスクデザインに対応する透明図を患者の顔の前に持ち、マスクシステムのフィット具合を調べることができる。
【発明の概要】
【発明が解決しようとする課題】
【００１０】
したがって、患者に適した患者インターフェイスデバイスを選択するためのやり方を改良するニーズが存在する。
【課題を解決するための手段】
【００１１】
開示される概念の側面によれば、電子装置は、患者の顔の３Ｄモデル及び患者の顔の３Ｄモデルに取り付けられた患者インターフェイスデバイスの３Ｄモデルを表示するよう構成された表示領域をユーザーインターフェイス内に生成するよう構成された表示生成ユニットと、ユーザーインターフェイス内に透明度調整ツールを生成するよう構成された透明度調整ユニットであって、透明度調整ツールは、ユーザーインターフェイスの３Ｄ表示領域内に表示された患者インターフェイスデバイスの３Ｄモデルのコンポーネントのサブセットの透明度を調整するよう操作可能である、透明度調整ユニットとを含む。
【００１２】
開示される概念の他の側面によれば、患者インターフェイスデバイスを選択する方法は、患者の顔の３Ｄモデル及び患者の顔の３Ｄモデルに取り付けられた患者インターフェイスデバイスの３Ｄモデルを表示するよう構成された表示領域をユーザーインターフェイス内に生成するステップと、ユーザーインターフェイス内に透明度調整ツールを生成するステップであって、透明度調整ツールは、ユーザーインターフェイスの３Ｄ表示領域内に表示された患者インターフェイスデバイスの３Ｄモデルのコンポーネントのサブセットの透明度を調整するよう操作可能である、ステップとを含む。
【００１３】
開示される概念の他の側面によれば、非一時的コンピュータ可読媒体は、コンピュータによって実行されたとき、コンピュータに、患者の顔の３Ｄモデル及び患者の顔の３Ｄモデルに取り付けられた患者インターフェイスデバイスの３Ｄモデルを表示するよう構成された表示領域をユーザーインターフェイス内に生成するステップと、ユーザーインターフェイス内に透明度調整ツールを生成するステップであって、透明度調整ツールは、ユーザーインターフェイスの３Ｄ表示領域内に表示された患者インターフェイスデバイスの３Ｄモデルのコンポーネントのサブセットの透明度を調整するよう操作可能である、ステップとを含む、方法を実行させる命令を含む１つ以上のプログラムを記憶する。
【００１４】
開示される概念の他の側面によれば、複数の患者インターフェイスデバイスのうちの患者インターフェイスデバイスを選択するための方法は、患者の顔の３Ｄモデルを作成するステップと、複数の患者インターフェイスデバイスのそれぞれの３Ｄモデルを作成するステップと、患者の顔の３Ｄモデルを患者インターフェイスデバイス選択システムに供給するステップと、患者インターフェイスデバイスの３Ｄモデルのうちの１つ以上を患者インターフェイスデバイス選択システムに供給するステップと、患者インターフェイスデバイス選択システムを使用して、患者インターフェイスデバイスの３Ｄモデルのうちの１つ以上が取り付けられた患者の顔の３Ｄモデルを表示するステップと、患者インターフェイスデバイス選択システムを使用して、表示された患者インターフェイスデバイスの３Ｄモデルのコンポーネントのサブセットの透明度を調整するステップと、患者インターフェイスデバイスのうちの１つを選択するステップとを含み、患者インターフェイスデバイス選択システムは、患者の顔の３Ｄモデル及び患者の顔の３Ｄモデルに取り付けられた１つ以上の患者インターフェイスデバイスの３Ｄモデルを表示するよう構成された表示領域をユーザーインターフェイス内に生成するよう構成された表示生成ユニットと、ユーザーインターフェイス内に透明度調整ツールを生成するよう構成された透明度調整ユニットであって、透明度調整ツールは、ユーザーインターフェイスの３Ｄ表示領域内に表示された患者インターフェイスデバイスの３Ｄモデルのコンポーネントのサブセットの透明度を調整するよう操作可能である、透明度調整ユニットとを含む。
【図面の簡単な説明】
【００１５】
【図１】図１は、開示される概念の例示的な一実施形態に係る患者インターフェイスデバイスを選択するためのシステムのダイアグラムである。
【図２】図２は、開示される概念の例示的な一実施形態に係る幾何学的適合スコアを決定する方法のフローチャートである。
【図３】図３は、開示される概念の一実施形態に係る患者基準適合スコアを決定する方法のフローチャートである。
【図４】図４は、開示される概念の一実施形態に係る問診票を含むユーザーインターフェイスの図である。
【図５】図５は、開示される概念の一実施形態に係る総合適合スコアを決定する方法のフローチャートである。
【図６】図６は、開示される概念の一実施形態に係るユーザーインターフェイス生成器のダイアグラムである。
【図７】図７は、開示される概念の例示的な一実施形態に係る３Ｄ表示領域及び患者インターフェイスデバイス選択領域を含むユーザーインターフェイスの図である。
【図８】図８は、患者インターフェイスデバイス選択領域及び詳細な適合スコア情報領域を含むユーザーインターフェイスの部分の図である。
【図９】図９は、開示される概念の例示的な一実施形態に係る透明度を調整する方法のフローチャートである。
【図１０】図１０は、透明度調整の実行前のユーザーインターフェイスの図である。
【図１１】図１１は、透明度調整の実行後のユーザーインターフェイスの図である。
【図１２】図１２は、開示される概念の例示的な一実施形態に係る相互作用マップを作成する方法のフローチャートである。
【図１３】図１３は、開示される概念の実施形態に係る表示された相互作用マップの２つの図である。
【図１４】図１４は、開示される概念の他の実施形態に係る患者インターフェイスデバイスを選択するためのシステムのダイアグラムである。
【発明を実施するための形態】
【００１６】
本明細書で使用される場合、文脈上明らかに反対が示されない限り、要素は複数を除外しない。本明細書で使用される場合、２つ以上の部分又は部品が「結合される」との記載は、部分が直接的に、又は間接的に、すなわち、結び付きが生じる限り、１つ以上の中間部品若しくは部分を介して接合され若しくは共に動作することを意味する。本明細書で使用される場合、「直接結合される」とは、２つの要素が互いに直接接触することを意味する。本明細書で使用される場合、「固定的に結合される」又は「固定される」とは、２つの部品が互いに対して一定の向きを保ちながら一体的に移動するよう結合されることを意味する。
【００１７】
本明細書で使用される方向的な表現、例えば、限定はされないが、頂部、底部、左、右、上方、下方、前方、後方、及びこれらの派生語は図中に示される要素の向きに関連し、請求項中に明記されない限り、請求項を限定しない。
【００１８】
本明細書で使用される場合、「プロセッサ」、「処理ユニット」等の用語は、データを保存、検索、及び処理可能なプログラム可能なアナログ及び／又はデジタルデバイス、コントローラ、制御回路、コンピュータ、ワークステーション、パーソナルコンピュータ、マイクロプロセッサ、マイクロコントローラ、マイクロコンピュータ、中央処理装置、メインフレームコンピュータ、ミニコンピュータ、サーバ、ネットワーク化されたプロセッサ、又は任意の適切な処理デバイス若しくは装置を意味する。
【００１９】
図１は、開示される概念の例示的な一実施形態に係る患者インターフェイスデバイス選択システム１のブロック図である。患者インターフェイスデバイス選択システム１は顔スキャンユニット１０、患者インターフェイスデバイス情報データベース２０、入力ユニット３０、処理ユニット４０、及び表示ユニット５０を含む。
【００２０】
顔スキャンユニット１０は、患者の顔の３Ｄモデルを作成及び出力するよう構成される。患者の顔の３Ｄモデルを作成及び出力可能なデバイスが知られている。このようなデバイスの例は、限定はされないが、光スキャナ、カメラ、及びプッシュピンアレイである。顔スキャンユニット１０は処理ユニット４０と通信結合され、患者の顔の３Ｄモデルを処理ユニット４０に出力するよう構成される。開示される概念の範囲から逸脱することなく、顔スキャンユニット１０及び処理ユニット４０は同じロケーションにあってもよく、又は異なるロケーションにあってもよいと考えられる。また、顔スキャンユニット１０及び処理ユニット４０は任意の適切な手段（例えば、限定はされないが、ネットワーク、インターネット、ＵＳＢ等）によって通信結合されると考えられる。更に、顔スキャンユニット１０は、後に処理ユニット４０によって読み取り可能なリムーバブルメモリデバイス（例えば、限定はされないが、ＵＳＢドライブ）に患者の顔の３Ｄモデルを保存し得ると考えられる。
【００２１】
患者インターフェイスデバイス情報データベース２０は、複数の患者インターフェイスデバイスの３Ｄモデル、及び患者インターフェイスデバイスに関連付けられた追加情報を保存するよう構成される。患者インターフェイスデバイスの３Ｄモデルは任意の適切な手段によって取得され得る。例えば、限定はされないが、光スキャナ、カメラ、又はプッシュピンアレイ等のデバイスを使用して患者インターフェイスデバイスの３Ｄモデルが作成され得る。また、患者インターフェイスデバイスの３Ｄモデルはコンピュータによって生成され得ると考えられる（例えば、限定はされないが、３Ｄモデリングソフトウェアによって作成）。
【００２２】
開示される概念の一部の例示的な実施形態では、患者インターフェイスデバイスの３Ｄモデルは、３Ｄモデルの個々の部品又は部品のグループが個別に操作され得るよう構成される。例えば、患者インターフェイスデバイスの１つの例示的な３Ｄモデルは、クッション、支持構造、額クッションを含む可動額サポート、及びＬ字管を含むマスクを含む。この患者インターフェイスの３Ｄモデルは、例えば、可動額サポートが他の部品から独立して移動可能なよう構成され得る。
【００２３】
開示される概念の一部の例示的な実施形態では、患者インターフェイスデバイスの３Ｄモデルは、更に、患者インターフェイスデバイスの部品の特性に関する情報を含む。例えば、患者インターフェイスデバイスの３Ｄモデルは、限定はされないが、患者インターフェイスデバイスのクッションの弾力性等の特性に関する情報を含み得る。
【００２４】
患者インターフェイスデバイスに関連付けられた追加情報は、患者ファクタ（例えば、限定はされないが、患者が患う症状又は疾患の種類）に基づき各患者インターフェイスデバイスの適合度を評価する情報を含む。患者インターフェイスデバイスに関連付けられた追加情報は、更に、患者インターフェイスデバイス識別情報（例えば、限定はされないが、メーカー名、製品名、及びサイズ）を含む。
【００２５】
患者インターフェイスデバイス情報データベース２０は処理ユニット４０と通信結合し、３Ｄモデル及び追加情報を処理ユニット４０に出力するよう構成される。開示される概念の範囲から逸脱することなく、患者インターフェイスデバイス情報データベース２０及び処理ユニット４０は同じロケーションにあってもよいし、又は異なるロケーションにあってもよいと考えられる。また、患者インターフェイスデバイス情報データベース２０及び処理ユニット４０は任意の適切な手段（例えば、限定はされないが、ネットワーク、インターネット、ＵＳＢ等）によって通信結合されると考えられる。一部の他の例示的な実施形態では、患者インターフェイスデバイス情報データベース２０は処理ユニット４０内に含まれる。更に、患者インターフェイスデバイス情報データベース２０は、後に処理ユニット４０によって読み取り可能なリムーバブルメモリデバイス（例えば、限定はされないが、ＵＳＢドライブ）に患者インターフェイスデバイスの３Ｄモデルを保存し得ると考えられる。
【００２６】
入力ユニット３０は、患者インターフェイスデバイス選択システム１のユーザーの入力を受け付けるよう構成される。入力ユニット３０は、この機能を実行可能な任意の慣用的なデバイス、限定はされないが、キーボード、キーパッド、マウス、又はタッチスクリーン等であり得る。入力ユニット３０は、任意の適切な手段（例えば、限定はされないが、ネットワーク、インターネット、ＵＳＢ等）によって処理ユニット４０と通信結合される。
【００２７】
処理ユニット４０は、顔スキャンユニット１０、患者インターフェイスデバイス情報データベース２０、及び入力ユニット３０からの出力を受け取るよう構成される。処理ユニット４０は幾何学的適合スコア決定ユニット４２、患者基準適合スコア決定ユニット４４、総合適合スコア決定ユニット４６、及びユーザーインターフェイス生成器４８を含み、それぞれが後により詳細に説明される。
【００２８】
処理ユニット４０は、例えば、ソフトウェアモジュールの保存及び実行に適したマイクロプロセッサ及びメモリユニット等、任意の種類の処理装置であり得る。幾何学的適合スコア決定ユニット４２、患者基準適合スコア決定ユニット４４、総合適合スコア決定ユニット４６、ユーザーインターフェイス生成器４８は、それぞれ、処理ユニット４０によって実行可能なソフトウェアモジュールとして具現化され得る。
【００２９】
幾何学的適合スコア決定ユニット４２は、１つ以上の患者インターフェイスデバイスの幾何学的適合スコアを決定するよう構成される。患者インターフェイスデバイスの幾何学的適合スコアは、患者の顔の形状と、患者インターフェイスデバイスの形状とのフィット具合の評価である。患者の顔と患者インターフェイスデバイスとの間の接触圧が高い地点又は隙間は、幾何学的適合スコアに負の影響を及ぼす。
【００３０】
図２は、患者インターフェイスデバイスの幾何学的適合スコアを決定するための１つの例示的なプロセスのフローチャートを示す。図２に示されるプロセスは、幾何学的適合スコア決定ユニット４２によって実行され得る。図２を参照して、動作Ｓ１において、幾何学的適合スコア決定ユニット４２は患者の顔の３Ｄモデルを受け取る。動作Ｓ２において、幾何学的適合スコア決定ユニット４２は患者インターフェイスデバイスの３Ｄモデルを受け取る。
【００３１】
動作Ｓ３において、幾何学的適合スコア決定ユニット４２は、患者の顔の３Ｄモデル上の１つ以上のランドマークを決定する。ランドマークは患者の顔上の任意の示差的な特徴であり得る（例えば、限定はされないが、鼻梁、鼻の頭、あご等）。動作Ｓ４において、患者インターフェイスデバイスの３Ｄモデル上の選択された点が、患者の顔の３Ｄモデル上の決定されたランドマークと位置合わせされる。例えば、患者インターフェイスデバイスの３Ｄモデル内のクッションの上部が、患者の顔の３Ｄモデル内の鼻梁と位置合わせされ得る。動作Ｓ５において、患者インターフェイスデバイスの３Ｄモデルの微調整が行われる。患者インターフェイスデバイスの３Ｄモデルは、患者の顔の３Ｄモデルにフィットするよう平行移動及び回転調整される。例えば、限定はされないが、クッションの輪郭が患者の顔の３Ｄモデルの輪郭と可能な限り合致するよう患者インターフェイスデバイスの３Ｄモデルが回転及び平行移動される。しかし、開示される概念の範囲から逸脱することなく、患者インターフェイスデバイスの３Ｄモデルを微調整する任意の適切な方法が採用可能であると考えられる。
【００３２】
動作Ｓ３〜Ｓ５は、患者インターフェイスデバイスの３Ｄモデルを患者の顔の３Ｄモデルにフィットさせるプロセスの例を表す。しかし、開示される概念の範囲から逸脱することなく、患者インターフェイスデバイスの３Ｄモデルを患者の顔の３Ｄモデルにフィットさせる任意の適切なプロセスが採用され得ると考えられる。
【００３３】
患者インターフェイスデバイスの３Ｄモデルが患者の顔に合わせられるとき、動作Ｓ６において、幾何学的適合スコア決定ユニット４２は患者の顔に対する患者インターフェイスデバイスの幾何学的適合スコアを計算する。幾何学的適合スコアは患者インターフェイスデバイスの３Ｄモデルと患者の顔の３Ｄモデルとの間の相互作用に基づき計算される。例示的な一実施形態では、幾何学的適合スコアは、患者インターフェイスデバイスの３Ｄモデルのクッションの輪郭と患者の顔の３Ｄモデルの輪郭との間の差に基づき計算される。例えば、患者インターフェイスデバイスの３Ｄモデルが患者の顔の３Ｄモデルに合わせられるとき、患者インターフェイスデバイスの３Ｄモデルのクッションの輪郭が患者の顔の３Ｄモデルの輪郭上の対応する点より高い又は低い任意の点は、患者インターフェイスデバイスの幾何学的適合スコアに負の影響を及ぼす。また、幾何学的適合スコアの計算は、患者インターフェイスデバイス及び患者の顔の変形を考慮し得ると考えられる。例えば、患者インターフェイスデバイスの３Ｄモデルが患者の顔に合わせられるとき、患者インターフェイスデバイス及び患者の顔における変形を決定するために有限要素法が使用され得る。
【００３４】
動作Ｓ７において、幾何学的適合スコア決定ユニット４２は、計算された適合スコアを総合適合スコア決定ユニット４６に出力する。また、幾何学的適合スコア決定ユニット４２が、患者の顔の３Ｄモデル上に取り付けられたときの患者インターフェイスデバイスの３Ｄモデルの配置に関する情報等の追加情報を出力し得ることも考えられる。この情報は、例えば、患者の顔の３Ｄモデル上に取り付けられた患者インターフェイスデバイスの３Ｄモデルの３Ｄ表示を作成するためにユーザーインターフェイス生成器４８によって使用され得る。また、幾何学的適合スコア決定ユニット４２が、患者インターフェイスデバイスの３Ｄモデルと患者の顔の３Ｄモデルとの間の相互作用のレベルに関する情報を出力し得ることも考えられる。この情報は、例えば、患者インターフェイスデバイスと患者の顔との間の相互作用マップを生成するために使用され得る。相互作用マップの生成及び表示については、後により詳細に説明する。
【００３５】
再び図１を参照して、患者基準適合スコア決定ユニット４４は、患者インターフェイスデバイスの患者基準適合スコアを決定する。患者インターフェイスデバイスの患者基準適合スコアは、患者インターフェイスデバイスと患者の顔との間の幾何学的適合度以外の患者情報及び／又は患者インターフェイスデバイスに関連付けられた追加情報に基づき決定される。例えば、患者基準適合スコアは、患者情報若しくは患者インターフェイスデバイスに関連付けられた追加情報のみ、又はこれらの組み合わせに基づき得る。考えられる患者情報の例は、限定はされないが、患者の年齢、患者の性別、治療されるべき患者の疾患、及び他の患者情報である（例えば、限定はされないが、患者が閉所恐怖症であるか否か、患者が睡眠中に口呼吸をするか否か等）。
【００３６】
患者情報は、例えば、入力ユニット３０を介して問診票の質問に回答することによって生成され得る。図４には、問診票のレイアウトの例を含むユーザーインターフェイス２００−１の例が示されている。ユーザーインターフェイス２００−１はユーザーインターフェイス生成器４８によって生成される。ユーザーインターフェイス生成器４８については、後により詳細に説明する。
【００３７】
図３を参照して、患者インターフェイスデバイスの患者基準適合スコアを決定するプロセスの例が示されている。図３に示されるプロセスは、患者基準適合スコア決定ユニット４４によって実行され得る。
【００３８】
動作Ｓ８において、患者基準適合スコア決定ユニット４４は患者情報を受け取り、動作Ｓ９において、患者基準適合スコア決定ユニット４４は患者インターフェイスデバイスに関連付けられた追加情報を受け取る。
【００３９】
動作Ｓ１０において、患者適合スコア決定ユニット４４は、患者情報及び／又は患者インターフェイスデバイスに関連付けられた追加情報に基づき患者基準適合スコアを計算する。より詳細には、患者インターフェイスデバイスの患者基準適合スコアを得るために、各患者情報に対する患者インターフェイスデバイスの適合度が評価される。例えば、患者の疾患が治療にフルフェイスマスクを要することを患者情報が示し、患者インターフェイスデバイスに関連付けられた追加情報が患者インターフェイスデバイスが鼻マスクであることを示す場合、患者インターフェイスデバイスの患者基準適合スコアには負の影響がある。開示される概念の範囲から逸脱することなく、患者基準適合スコアを決定する際、患者基準適合スコア決定ユニット４４が各患者情報に異なる重み付けをし得ることも考えられる。各患者情報の既定であり又はシステムのユーザーによってカスタマイズされ得ると考えられる。
【００４０】
動作Ｓ１１において、患者基準適合スコア決定ユニット４４は患者基準適合スコアを総合適合スコア決定ユニット４６に出力する。
【００４１】
再び図１を参照して、総合適合スコア決定ユニット４６は患者インターフェイスデバイスの総合適合スコアを決定する。次に図５を参照して、総合適合スコアを決定するためのプロセスが示されている。図５に示されるプロセスは総合適合スコア決定ユニット４６によって実行され得る。
【００４２】
動作Ｓ１２において、総合適合スコア決定ユニット４６は患者インターフェイスデバイスの幾何学的適合スコアを幾何学的適合スコア決定ユニット４２から受け取り、動作Ｓ１３において、総合適合スコア決定ユニット４６は患者インターフェイスデバイスの患者基準適合スコアを患者基準適合スコア決定ユニット４４から受け取る。
【００４３】
動作Ｓ１４において、総合適合スコア決定ユニット４６は幾何学的適合スコア及び患者基準適合スコアに基づき患者インターフェイスデバイスの総合適合スコアを計算する。総合適合スコア決定ユニット４６は、幾何学的適合スコア及び患者基準適合スコアに各々異なる重み付けをし得ると考えられる。また、重みは既定であり又はシステムのユーザーによってカスタマイズされ得るとも考えられる。
【００４４】
動作Ｓ１４において、総合適合スコア決定ユニット４６は患者インターフェイスデバイスの総合適合スコアをユーザーインターフェイス生成器４８に出力する。
【００４５】
１つの患者インターフェイスデバイスに関して幾何学的適合スコア決定ユニット４２、患者基準適合スコア決定ユニット４４、及び総合適合スコア決定ユニット４６の動作を説明してきたが、患者インターフェイスデバイス情報データベース２０に３Ｄモデルが保存された１つ以上の患者インターフェイスデバイスの総合適合スコアを計算するために、かかる動作は繰り返され得ると理解されたい。
【００４６】
再び図１を参照して、ユーザーインターフェイス生成器４８は患者インターフェイスデバイス選択システム１のためのユーザーインターフェイスを生成し、生成されたユーザーインターフェイスを表示ユニット５０に出力する。ユーザーインターフェイス生成器４８及びユーザーインターフェイスの動作について、以下により詳細に説明する。
【００４７】
図６を参照すると、ユーザーインターフェイス生成器４８がより詳細に図示されており、図７には、ユーザーインターフェイス生成器４８によって生成された例示的なユーザーインターフェイス２００−２が図示されている。
【００４８】
ユーザーインターフェイス生成器４８は、表示領域２１０を生成する表示生成ユニット１１０を含む。表示領域２１０は、患者の顔の３Ｄモデルを、患者の顔に取り付けられた選択された患者インターフェイスデバイスの３Ｄモデルと共に表示する。一部の例示的な実施形態では、表示生成ユニット１１０は、表示領域２１０内に表示された画像を操作するコマンドをサポートし得る（例えば、限定はされないが、パン、ズーム、回転等）。表示領域２１０は、選択された患者インターフェイスデバイスの患者の顔へのフィット具合を目視検査することを可能にし、これは、患者のための患者インターフェイスデバイスの選択を援助するために、計算された総合適合スコアと共に利用され得る。
【００４９】
ユーザーインターフェイス生成器４８は、更に、患者インターフェイスデバイス選択ツール生成ユニット１２０を含む。患者インターフェイスデバイス選択ツール生成ユニット１２０は、ユーザーインターフェイス２００−２上に患者インターフェイスデバイス選択表示領域２２０を生成する。患者インターフェイスデバイス選択表示領域２２０は、ユーザーが患者インターフェイスデバイスをソートし、表示領域２１０に表示される患者インターフェイスデバイスを選択することを可能にするよう構成される。また、患者インターフェイスデバイス選択表示領域２２０は、患者インターフェイスデバイスに対応する総合適合スコアを表示するよう構成される。
【００５０】
図７に示される例では、患者インターフェイスデバイス選択表示領域２２０は、複数の患者インターフェイスデバイスの患者インターフェイスデバイス識別情報２２１（例えば、限定はされないが、患者インターフェイスデバイスのメーカー及び品名）、及び患者インターフェイスデバイスの総合適合スコア２２２を含む。患者インターフェイスデバイス選択表示領域２２０は、更に、患者インターフェイスデバイスの種類（例えば、限定はされないが、鼻、フル、又はピロー）によって患者インターフェイスデバイスの表示をフィルタリングすることを可能にするよう構成された複数のフィルタリングツール２２３（例えば、限定はされないがタブ）を含む。開示される概念の範囲から逸脱することなく、患者インターフェイスデバイス識別情報２２１及び対応する総合適合スコア２２２の任意の適切な表示方法が採用され得ると理解されたい。また、開示される概念から逸脱することなく、患者インターフェイスデバイスの任意の適切なソート及び／又はフィルタリング方法が採用され得るとも考えられる。例えば、限定はされないが、技術者が例えば在庫が無い患者インターフェイスデバイスを非表示にし得るよう、入手可能性に基づき患者インターフェイスデバイスがフィルタリングされてもよい。
【００５１】
患者インターフェイスデバイス選択表示領域２２０は、更に、患者インターフェイスデバイスのうちの表示領域２１０に表示される１つを選択することを可能にするよう構成される。また、患者インターフェイスデバイス選択表示領域２２０は、選択された患者インターフェイスデバイスを示すよう構成される（例えば、限定はされないが、選択された患者インターフェイスデバイスの患者インターフェイスデバイス識別情報２２１及び対応する総合適合スコア２２２をハイライトすることによって）。選択された患者インターフェイスデバイスは患者の顔に取り付けられた状態で表示領域２１０に表示される。ユーザーインターフェイス生成器４８は、最も高い総合適合スコアを有する患者インターフェイスデバイスを自動的に選択及び表示するよう構成され得る。ユーザーインターフェイス生成器４８は、更に、フィルタリング動作の適用時、フィルタリング動作後に残った患者インターフェイスデバイスのうち最も高い総合適合スコアを有する患者インターフェイスデバイスを自動的に選択及び表示するよう構成され得る。更に、ユーザーインターフェイス生成器４８は、フィルタリング動作を実行せずに、患者インターフェイスデバイスのサブセット又はファミリーから患者インターフェイスデバイスを自動的に選択するよう構成され得る。例えば、限定はされないが、ユーザーインターフェイス生成器４８は、患者インターフェイスデバイスのサブセット又はファミリーが選択されたとき、当該サブセット又はファミリーから患者インターフェイスデバイスを選択するよう構成され得る。
【００５２】
ユーザーインターフェイス生成器４８は、サイズ選択ユニット１３０を更に含む。サイズ選択ユニット１３０は、ユーザーインターフェイス２００−２上に表示されるサイズ選択ツール２３０を生成する。多くの患者インターフェイスデバイスは異なるサイズ（例えば、限定はされないが、小、中、大）で提供され、これは、患者インターフェイスデバイスの患者の顔へのフィットに影響する。この開示の目的上、異なるサイズを有する異なる患者インターフェイスデバイスは、別個の患者インターフェイスデバイスと考えられる。サイズ選択ツール２３０は、患者インターフェイスデバイス選択システム１のユーザーがサイズを選択することを可能にするよう構成される。サイズが選択されると、選択されたサイズの患者インターフェイスデバイスが表示領域２１０に表示される。ユーザーインターフェイス生成器４８は、デフォルトで、最も高い総合適合スコアを有するサイズを自動的に選択すると考えられる。この場合、患者インターフェイスデバイス選択システム１のユーザーは異なるサイズを手動で選択し得る。サイズ選択ツール２３０は、更に、選択されたサイズを示すよう構成される（例えば、限定はされないが、選択されたサイズをハイライトすることによって）。サイズ選択ツール２３０は、更に、各サイズに対応する総合適合スコアを表示するよう構成される。
【００５３】
ユーザーインターフェイス生成器４８は、更に、ユーザーインターフェイス２００−２上に詳細な適合スコアツール２４０を生成するよう構成された詳細な適合スコア生成ユニット１４０を含む。詳細な適合スコアツール２４０は、ユーザーが詳細な適合スコア領域２４１（図８参照）における詳細な適合スコア情報の表示をトグルすることを可能にするよう構成される。詳細な適合スコア情報は、限定はされないが、総合適合スコアの決定に使用された各基準の適合度に関する情報である。例えば、総合適合スコアの決定に患者の年齢が使用された場合、詳細な適合スコア情報は、患者の年齢に対する選択された患者インターフェイスデバイスの適合度に関する情報を含む。
【００５４】
詳細な適合スコア領域２４１を表示するために、患者インターフェイスデバイス選択システム１のユーザーは詳細な適合スコアツール２４０をトグルする。図８は、詳細な適合スコア領域２４１表示時のユーザーインターフェイス２００−３を示す。詳細な適合スコア領域２４１は、総合適合スコアの決定に使用された複数の基準の基準識別情報２４２を含む。詳細な適合スコア領域２４１は、更に、表示された各基準の適合度を示す基準適合度情報２４３を含む。詳細な適合スコアツール２４０は、特定の患者インターフェイスデバイスが特定の総合適合スコアを取得した理由を調べるために患者インターフェイスデバイス選択システムのユーザーによって使用され得る。例えば、患者インターフェイスデバイスが患者の疾患の治療に適さないために低い総合適合スコアを取得した場合、詳細な適合スコア領域２４１を見ることによってこの情報を得ることができる。
【００５５】
再び図６を参照して、ユーザーインターフェイス生成器４８は、更に、透明度調整ユニット１５０を含む。透明度調整ユニット１５０は、ユーザーインターフェイス２００−２上に透明度調整ツール２５０を生成するよう構成される（図７）。透明度調整ツール２５０は、患者インターフェイスデバイス選択システム１のユーザーが患者インターフェイスデバイスの特定のコンポーネントの透明度を調整することを可能にするよう構成される。透明度調整ユニット１５０及び透明度調整ツール２５０の動作に関して、以下、図９乃至図１１を参照してより詳細に説明する。
【００５６】
図９は、表示領域２１０に表示された患者インターフェイスデバイスの選択されたコンポーネントの透明度を調整するためのプロセスのフローチャートを示す。図９のプロセスは透明度調整ユニット１５０によって実行され得る。図１０は、表示された患者インターフェイスデバイスの透明度を調整する前のユーザーインターフェイス２００−４を示し、図１１は、表示された患者インターフェイスデバイスの透明度を調整した後のユーザーインターフェイス２００−５を示す。
【００５７】
図９を参照して、動作Ｓ１６において、透明度調整ユニット１５０は透明度調整コマンドを受け取る。透明度調整コマンドは、例えば、患者インターフェイスデバイス選択システム１のユーザーが透明度調整ツール２５０を操作することによって生成され得る。図１０及び図１１に示される例示的な実施形態では、透明度調整ツール２５０はスライダーバーである。しかし、本発明の範囲から逸脱することなく、値の調整に適した任意のユーザーインターフェイスツールが使用され得ると考えられる（例えば、限定はされないが、ダイヤル、テキストボックス等）。
【００５８】
動作Ｓ１７において、透明度調整ユニット１５０は患者インターフェイスデバイスのコンポーネントのサブセットを選択する。選択されたコンポーネントのサブセットは、透明度調整ユニット１５０が透明度調整を行うコンポーネントになる。図９乃至図１１に示される例示的な実施形態では、患者インターフェイスデバイスのコンポーネントのサブセットは、透明度調整ユニット１５０によって自動的に選択される。しかし、開示される概念の範囲から逸脱することなく、透明度が調整される患者インターフェイスデバイスのコンポーネントのサブセットは、ユーザーによって手動で選択されてもよいことが理解されよう。
【００５９】
動作Ｓ１８において、透明度調整ユニット１５０は、受け取られた透明度調整コマンドに基づき選択されたコンポーネントのサブセットの透明度を調整する。選択されたコンポーネントのサブセットの透明度が調整された患者インターフェイスデバイスが表示領域１１０に表示される。
【００６０】
図１０及び図１１を参照して、透明度調整中のユーザーインターフェイス２００−４、２００−５の例が示されている。図１０では、透明度調整ツール２５０は右側にスライドされており、よって３Ｄ表示領域２１０に表示される患者インターフェイスデバイスのコンポーネントを不透明にする。図１１では、透明度調整ツール２５０は左側にスライドされており、よって表示領域２１０において患者インターフェイスの選択されたコンポーネントのサブセットを透明にする。
【００６１】
図１０及び図１１に示される例では、患者インターフェイスデバイスの選択されたコンポーネントのサブセットは患者の皮膚に触れないコンポーネントのサブセットであり、透明度調整ユニット１５０によって自動的に選択される。この例で選択されたコンポーネントのサブセットが透明にされた場合、図１１に示されるように、表示領域２１０にはクッション及び額クッションのみが表示される。患者の顔の皮膚に触れない患者インターフェイスデバイスのコンポーネントは、一般的に患者インターフェイスデバイスのフィットに影響せず、患者の皮膚に触れるコンポーネントを見づらくするおそれがある。したがって、患者の皮膚に触れない患者インターフェイスデバイスのコンポーネントを透明にすることは、患者インターフェイスデバイス選択システム１のユーザーがより容易に患者インターフェイスデバイスのフィットを目視検査することを可能にし得る。
【００６２】
再び図６を参照して、ユーザーインターフェイス生成器は、相互作用マップユニット１６０を更に含む。相互作用マップユニット１６０は、ユーザーインターフェイス２００−２上に相互作用マップツール２６０を生成するよう構成される（図７参照）。相互作用マップユニット１６０は、更に、ユーザーインターフェイス２００−２の３Ｄ表示領域２１０に表示される相互作用マップを生成するよう構成される。
【００６３】
図１２を参照して、患者インターフェイスデバイスと患者の顔との間の相互作用マップを生成及び表示するためのプロセスが示されている。図１２のプロセスは相互作用マップユニット１６０によって実行され得る。
【００６４】
患者インターフェイスデバイスと患者の顔との間の相互作用マップは、患者インターフェイスデバイスが患者の顔に取り付けられたとき、患者インターフェイスデバイスが患者の顔に与える患者の顔上の異なる点における接触圧の大きさを示す。
【００６５】
動作Ｓ１９において、相互作用ユニット１６０は患者インターフェイスデバイスと患者の顔との間の相互作用を計算する。一部の例示的な実施形態では、患者インターフェイスデバイスと患者の顔との間の相互作用は、患者インターフェイスデバイスの３Ｄモデルが患者の顔の３Ｄモデルに取り付けられたときの患者インターフェイスデバイスの３Ｄモデルの輪郭と患者の顔の３Ｄモデルの輪郭との間の距離に基づき決定される。例えば、患者インターフェイスデバイスの３Ｄモデルの輪郭が患者の顔の３Ｄモデルの輪郭より低い、患者の顔の３Ｄモデルの輪郭上の点は、その点における高い相互作用レベルをもたらし、一方、患者インターフェイスデバイスの３Ｄモデルの輪郭が患者の顔より高い患者の顔の３Ｄモデルの輪郭上の点は、その点における低い相互作用レベルをもたらす。
【００６６】
相互作用マップユニット１６０が患者インターフェイスデバイスと患者の顔との間の相互作用を計算すると、動作Ｓ２０において、相互作用マップユニット１６０は相互作用マップを生成する。一部の例示的な実施形態では、相互作用マップは患者の顔の３Ｄモデルと合致する３Ｄ物体である。相互作用マップは、例えば、高い相互作用レベルの領域を示すのにより暗い配色を使用し、低い相互作用レベルの領域を示すのにより明るい配色を使用する等、カラーコーディングによって患者インターフェイスデバイスの３Ｄモデルと患者の顔の３Ｄモデルとの間の相互作用を示す。一部の他の例示的な実施形態では、相互作用マップは、相互作用マップ上の点の透明値を調整することによって、例えば高い相互作用レベルの領域を示すのにより低い透明度を使用し、低い相互作用レベルの領域を示すのにより高い透明度を使用することによって患者インターフェイスデバイスの３Ｄモデルと患者の顔の３Ｄモデルとの間の相互作用を示す。他の例示的な実施形態では、異なる相互作用レベルを示すために相互作用マップ上の点のカラーコーディング及び透明値の調整の両方が使用される。ただし、相互作用マップは患者の顔上の異なる点における相互作用の量を示すのに任意の体系を使用し得ることも理解されたい（例えば、限定はされないが、相互作用マップは低い相互作用レベルの領域を示すのに緑色の配色、中程度の相互作用レベルの領域を示すのに黄色の配色、高い相互作用レベルの領域を示すのに赤色の配色を使用し得る）。
【００６７】
相互作用マップが生成されると、動作Ｓ２１において、相互作用マップユニット１６０は表示領域２１０に表示される患者インターフェイスデバイスのコンポーネントの透明度を調整する。相互作用マップユニット１６０は、相互作用マップを表示する際に患者インターフェイスデバイスのコンポーネントの透明値を所定の値に調整し、相互作用マップを非表示にする際に透明度調整をリバースし得る（すなわち、患者インターフェイスデバイスのコンポーネントの透明値を透明度調整前の状態に戻す）。一部の例示的な実施形態では、相互作用マップユニット１６０は、患者インターフェイスデバイスのコンポーネントが全て透明になるようコンポーネントの透明度を調整する。一部の他の例示的な実施形態では、相互作用マップユニット１６０は、患者インターフェイスデバイスのコンポーネントが全て半透明になるようコンポーネントの透明度を調整する。一部の他の例示的な実施形態では、相互作用マップユニット１６０は、一部のコンポーネントは透明になり、一部の他のコンポーネントは半透明になるよう患者インターフェイスデバイスのコンポーネントの透明度を調整する。例えば、患者の顔に触れる患者インターフェイスデバイスのコンポーネントは半透明に調整され、患者の顔に触れない患者インターフェイスデバイスのコンポーネントは透明にされ得る。患者インターフェイスデバイスの透明度を調整することは、相互作用マップが表示領域２１０に表示されたときに相互作用マップを見やすくする。
【００６８】
動作Ｓ２２において、相互作用マップユニット１６０は表示領域２１０に相互作用マップを表示する。より詳細には、相互作用マップは患者の顔の形状に従い、表示領域２１０に表示された患者の顔の表面に合わせられ、真上に配置された３Ｄ物体であり得る。図１３には、患者の顔と共に表示された相互作用マップの２つの例が示されている。表示された相互作用マップは、患者インターフェイスデバイスの患者の顔へのフィット具合を目視検査するために、特に、患者の顔により高い圧力をかける患者インターフェイスデバイスの領域を特定するために使用され得る。また、この情報は、例えば、患者インターフェイスデバイスの特定の領域が引き起こす患者の顔への圧力を開放するよう患者インターフェイスデバイスを調整し、患者の快適性を高めるために使用され得る（患者インターフェイスデバイスが調整可能なコンポーネントを有する場合）。
【００６９】
図１４を参照して、開示される概念の他の例示的な実施形態に係る患者インターフェイスデバイス選択システム２が示されている。患者の顔と患者インターフェイスデバイスとの間の幾何学的適合スコアの正確さを高めるために、患者の顔及び患者インターフェイスデバイスの変形を考慮することが望ましい。この変形を考慮する１つのやり方は、患者の顔及び患者インターフェイスデバイスについて有限要素解析等の解析を行うことである。しかし、特に複数の患者インターフェイスデバイスのそれぞれの幾何学的適合スコアが計算される場合、この解析のための計算は膨大になり得る。これらの計算は結果の提供を遅らせ、ユーザーがほぼ即座の結果を望む場合、弊害をもたらし得る。
【００７０】
患者インターフェイスデバイス選択システム２はこの問題に取り組む。患者インターフェイスデバイス選択システムは第１のロケーションＬＯＣ１及び第２のロケーションＬＯＣ２に分割される。第１のロケーションＬＯＣ１は第１の処理ユニット３８０、幾何学的適合スコアデータベース３６０、及び第３の処理ユニット３７０を含む。第２のロケーションＬＯＣ２は顔スキャンユニット３１０、入力ユニット３３０、第２の処理ユニット３４０、及び表示ユニット３５０を含む。
【００７１】
幾何学的適合スコアデータベース３６０は、複数の顔の３Ｄモデル、患者インターフェイスデバイスに関連付けられた追加情報を伴う複数の患者インターフェイスデバイスの３Ｄモデル、及び１つ以上の顔に対する１つ以上の患者インターフェイスデバイスの事前に計算された幾何学的適合スコアを保存するよう構成される。顔の３Ｄモデルは、現在の患者以外の人々の顔の３Ｄモデルである。顔の３Ｄモデルは任意の適切な態様で取得され得る。
【００７２】
第３の処理ユニット３７０は、１つ以上の顔に対する１つ以上の患者インターフェイスデバイスの幾何学的適合スコアを事前に計算し、結果を幾何学的適合スコアデータベース３６０に供給して保存するよう構成される。この限りにおいて、第３の処理ユニット３７０は、１つ以上の顔に対する１つ以上の患者インターフェイスデバイスの幾何学的適合スコアを（例えば、限定はされないが、有限要素解析を実行することによって）事前に計算するよう構成された幾何学的適合スコア決定ユニット３７２を含む。この文脈において、事前に計算するとの表現は、１つ以上の顔に対する１つ以上の患者インターフェイスデバイスの幾何学的適合スコアが、現在の患者の顔に対する１つ以上の患者インターフェイスデバイスの幾何学的適合スコアの決定前に計算されていることを意味する。
【００７３】
顔スキャンユニット３１０は、患者の顔の３Ｄモデルを作成及び出力するよう構成される。患者の顔の３Ｄモデルを作成及び出力可能なデバイスが知られている。このようなデバイスの例は、限定はされないが、光スキャナ、カメラ、及びプッシュピンアレイを含む。顔スキャンユニット３１０は遠隔処理ユニット３４０と通信結合され、患者の顔の３Ｄモデルを遠隔処理ユニット３４０に出力するよう構成される。開示される概念の範囲から逸脱することなく、顔スキャンユニット３１０及び遠隔処理ユニット３４０は同じロケーションにあってもよく、又は異なるロケーションにあってもよいと考えられる。また、顔スキャンユニット３１０及び遠隔処理ユニット３４０は任意の適切な手段（例えば、限定はされないが、ネットワーク、インターネット、ＵＳＢ等）によって通信結合されると考えられる。更に、顔スキャンユニット３１０は、後に処理ユニット３４０によって読み取り可能なリムーバブルメモリデバイス（例えば、限定はされないが、ＵＳＢドライブ）に患者の顔の３Ｄモデルを保存し得ると考えられる。
【００７４】
入力ユニット３３０は、患者インターフェイスデバイス選択システム２のユーザーの入力を受け付けるよう構成される。入力ユニット３３０は、この機能を実行可能な任意の慣用的なデバイス、限定はされないがキーボード、キーパッド、マウス、又はタッチスクリーン等であり得る。入力ユニット３３０は、任意の適切な手段（例えば、限定はされないが、ネットワーク、インターネット、ＵＳＢ等）によって遠隔処理ユニット３４０と通信結合される。
【００７５】
第２の処理ユニット３４０は、顔スキャンユニット３１０及び入力ユニット３３０からの出力を受け取るよう構成される。第２の処理ユニット３４０は第１の処理ユニット３８０と通信接続され、患者の顔の３Ｄモデルを第１の処理ユニット３８０に出力する。
【００７６】
第１の処理ユニット３８０は患者の顔の３Ｄモデルを受け取り、患者の顔に対する１つ以上の患者インターフェイスデバイスの幾何学的適合スコアを決定する。この限りにおいて、第１の処理ユニット３８０は、幾何学的適合スコアデータベース３６０内に保存された１つ以上の顔に対する患者インターフェイスデバイスの事前に計算された幾何学的適合スコアを使用するマッチ発見ユニット３８２を含む。
【００７７】
開示される概念の一部の実施形態では、マッチ発見ユニット３８２は、患者の顔を幾何学的適合スコアデータベース３６０内に保存された顔と最も良く合致する顔にマッチさせるために最小二乗平均法を使用する（例えば、限定はされないが、患者の顔の３Ｄモデルと保存された顔の３Ｄモデルを使用することによって）。マッチ発見ユニット３８２は、マッチされた顔に対応する１つ以上の患者インターフェイスデバイスの事前に計算された幾何学的適合スコアを、患者の顔に対する１つ以上の患者インターフェイスデバイスの幾何学的適合スコアとして使用する。マッチ発見ユニット３８２は、更に、マッチされた顔と患者の顔との間の幾何学的な差に基づき事前に計算された幾何学的適合スコアを調整し得る。また、マッチ発見ユニット３８２は、補間を使用して複数の顔に対する患者インターフェイスデバイスの事前に計算された幾何学的適合スコアを組み合わせ、患者の顔に対する患者インターフェイスデバイスの幾何学的適合スコアを決定し得る。
【００７８】
一部の他の実施形態では、保存された顔の３Ｄモデルに主成分分析を用いて、患者インターフェイスデバイスの変形における様々な顔形状モードの効果を決定することにより、変形効果モデルが作成され得る。患者の顔の３Ｄモデルから、患者の顔の顔形状モードの係数を決定することができる。そして、顔形状モード係数を変形効果モデルに適用することにより、患者の顔の患者インターフェイスデバイスに対する変形効果を決定することができる。この方法の利用は、患者インターフェイスデバイスの変形をモデリングするのに必要な計算量を低減し得る。
【００７９】
患者の顔に対する患者インターフェイスデバイスの幾何学的適合スコアの決定に加えて、第１の処理ユニット３８０は第３の処理ユニット３７０に患者の顔の３Ｄモデルを更に出力し、患者の顔に対する１つ以上の患者インターフェイスデバイスの幾何学的適合スコアを計算するよう第３の処理ユニット３７０を制御してもよい。第３の処理ユニット３７０は計算された幾何学的適合スコアを幾何学的適合スコアデータベース３６０に保存し、これらは、他の患者のために使用される事前に計算された幾何学的適合スコアとして利用され得る。このように、システム２は幾何学的適合スコアデータベース３６０に継続的にデータを追加することができる。
【００８０】
第１の処理ユニット３８０が患者の顔に対する１つ以上の患者インターフェイスデバイスの幾何学的適合スコアを決定すると、第１の処理ユニット３８０は結果を第２の処理ユニット３４０に出力する。
【００８１】
第２の処理ユニット３４０は、患者基準適合スコア決定ユニット３４４、総合適合スコア決定ユニット３４６、及びユーザーインターフェイス生成器３４８を含み、以下、これらについてより詳細に説明する。
【００８２】
患者基準適合スコア決定ユニット３４４は、患者に対する患者インターフェイスデバイスの患者基準適合スコアを決定する。患者基準適合スコア決定ユニット３４４は図１の患者基準適合スコア決定ユニット４４と同様に動作する。しかし、図１４の患者基準適合スコア決定ユニット３４４は、幾何学的適合スコアデータベース３６０から患者インターフェイスデバイスに関連付けられた追加情報を受け取り得る。
【００８３】
総合適合スコア決定ユニット３４６は、図１に示される総合適合スコア決定ユニット４６と同様に動作するが、総合適合スコア決定ユニット３４６は、幾何学的適合スコア決定ユニット４２ではなく第１の処理ユニット３８０から患者の顔に対する１つ以上の患者インターフェイスデバイスの幾何学的適合スコアを受け取る。それ以外は、総合適合スコア決定ユニット３４６は図１に示される総合適合スコア決定ユニット４６と同様に動作し、よって、このコンポーネントの更なる説明は省略される。ユーザーインターフェイス生成器３４８も図１に示されるユーザーインターフェイス生成器４８と同様に動作し、よって、このコンポーネントの更なる説明は省略される。
【００８４】
第１のロケーションＬＯＣ１及び第２のロケーションＬＯＣ２は異なるロケーションであり、例えば、限定はされないが、処理センター及び介護者のオフィス等であると考えられる。しかし、開示される概念の範囲から逸脱することなく、第１のロケーションＬＯＣ１及び第２のロケーションＬＯＣ２が単一のロケーションにまとめられ得ることも考えられる。また、患者インターフェイスデバイス選択システム２がスケーラブルであることも考えられる。例えば、１つの中央第１の処理ユニット３８０、幾何学的適合スコアデータベース３６０、及び第３の処理ユニット３７０が多数の第２の処理ユニット３４０に対応し得ることが考えられる。
【００８５】
解析を実行して患者の顔に対する幾何学的適合スコアを始めから計算する代わりに、第１の処理ユニット３８０を使用して１つ以上の事前に計算された幾何学的適合スコアに基づき幾何学的フィットスコアを決定することは、患者インターフェイスデバイス選択システム２のユーザーが正確な結果を素早く受け取ることを可能にする。
【００８６】
第１、第２の、及び第３の処理ユニット３８０、３４０、３７０、３４０は、それぞれ、例えばソフトウェアモジュールの保存及び実行に適したマイクロプロセッサ及びメモリユニット等の任意の種類の処理装置であり得る。幾何学的適合スコア決定ユニット３７２、マッチ発見ユニット３８２、患者基準適合スコア決定ユニット３４４、総合適合スコア決定ユニット３４６、及びユーザーインターフェイス生成器３４８は、それぞれ、それらが存在する処理ユニットによって実行可能なソフトウェアモジュールとして具現化され得る。
【００８７】
本開示の概念は、例えば、限定はされないが、モバイルデバイス、モバイルコンピュータ、タブレットコンピュータ、周辺機器等の電子装置内に具現化され得る。また、本開示の概念は、有形コンピュータ可読記録媒体上のコンピュータ可読コードとして具現化され得る。コンピュータ可読記録媒体は、後にコンピュータシステムによって読み取り可能なデータを保存し得る任意のデータストレージデバイスである。コンピュータ可読記録媒体の例はＲＯＭ（read-only memory）、ＲＡＭ（random-access memory）、ＣＤ−ＲＯＭ、磁気テープ、フロッピー（登録商標）ディスク、及び光学データストレージデバイスを含む。
【００８８】
本明細書に記載される開示の概念の任意の実施形態、実施形態の組み合わせ、又は実施形態の変形形態は、例えば、限定はされないが、患者のための患者インターフェイスデバイスを選択するプロセスにおいて、介護者又は技術者によって使用され得ると考えられる。
【００８９】
請求項中、括弧内の如何なる参照符号も請求項を限定すると解されるべきではない。「備える」又は「含む」等の用語は、請求項内に列挙される以外の要素又はステップの存在を除外しない。複数の手段を列挙する装置クレームにおいて、それらの手段のいくつかが同一のハードウェアアイテムによって具現化されてもよい。要素は複数を除外しない。複数の手段を列挙する任意の装置クレームにおいて、それらの手段のいくつかが同一のハードウェアアイテムによって具現化されてもよい。単にいくつかの要素が互いに異なる従属請求項に記載されているからといって、これらの手段を組み合わせて使用することができないとは限らない。
【００９０】
現在最も実践的且つ好適と考えられる実施形態に基づき、説明のために本発明を詳細に記載してきたが、かかる詳細はもっぱらその目的のためのものであり、本発明は開示の実施形態に限定されず、反対に、添付の特許請求の範囲の趣旨及び範囲内の変形形態及び等価な構成を含むよう意図されることを理解されたい。例えば、本発明は、可能な範囲において、任意の実施形態の１つ以上の特徴が任意の他の実施形態の１つ以上の特徴と組み合わせられ得ることを考慮することを理解されたい。
【図１】
0006321142.tif 000002
【図２】
0006321142.tif 000003
【図３】
0006321142.tif 000004
【図４】
0006321142.tif 000005
【図５】
0006321142.tif 000006
【図６】
0006321142.tif 000007
【図７】
0006321142.tif 000008
【図８】
0006321142.tif 000009
【図９】
0006321142.tif 000010
【図１０】
0006321142.tif 000011
【図１１】
0006321142.tif 000012
【図１２】
0006321142.tif 000013
【図１３】
0006321142.tif 000014
【図１４】
0006321142.tif 000015